(57)【要約】【課題】使用者が使用に不慣れな場合であっても、押圧部を使用者の顔や身体に押し付ける力が過度になるのを抑えることができる美容器を提供することを目的とする。【解決手段】本発明に係る美容器は、筒状の美容器本体と、美容器本体の一端部に設けられ、使用者の顔や身体を押圧するものであって、１つの第１ピンから成る第１押圧部と、美容器本体における一端部の内部に収容され、第１押圧部を美容器本体の外側に向けて付勢する第１付勢部材と、美容器本体の他端部に設けられ、使用者の顔や身体を押圧するものであって、３つの第２ピンから成る第２押圧部と、美容器本体における他端部の内部に収容され、第２押圧部を美容器本体の外側に向けて付勢する第２付勢部材と、を備える。【選択図】図２
2020069108.tif 000002
【特許請求の範囲】
【請求項１】
筒状の美容器本体と、
前記美容器本体の一端部に設けられ、使用者の顔や身体を押圧するものであって、１つの第１ピンから成る第１押圧部と、
前記美容器本体における前記一端部の内部に収容され、前記第１押圧部を前記美容器本体の外側に向けて付勢する第１付勢部材と、
前記美容器本体の他端部に設けられ、使用者の顔や身体を押圧するものであって、３つの第２ピンから成る第２押圧部と、
前記美容器本体における前記他端部の内部に収容され、前記第２押圧部を前記美容器本体の外側に向けて付勢する第２付勢部材と、を備える美容器。
【請求項２】
前記第１ピンの先端部における直径の大きさは、前記第２ピンの先端部における直径の大きさよりも大きいことを特徴とする請求項１に記載の美容器。
【請求項３】
前記第１ピンは、前記第２ピンよりも長いことを特徴とする請求項1又は２に記載の美容器。
【請求項４】
前記第１付勢部材の付勢力は、前記第２付勢部材の付勢力よりも強いことを特徴とする請求項１から３のいずれか１項に記載の美容器。
【請求項５】
前記第１押圧部および前記第２押圧部のうち、少なくともいずれか一方に着脱自在に装着されるキャップを備えていることを特徴とする請求項１から４のいずれか１項に記載の美容器。
【請求項６】
前記第１ピンは、前記美容器本体の中心軸線と同軸に配置され、
前記３つの第２ピンは、前記中心軸線回りに周回する周方向に等間隔をあけて配置されている請求項１から５のいずれか１項に記載の美容器。
【請求項７】
前記第１押圧部および前記第２押圧部のうち、少なくともいずれか一方を覆うとともに、前記美容器本体が上下方向に延びるように、前記美容器本体を支持する支持台を備え、
前記支持台の内側には、前記前記第１押圧部および前記第２押圧部のうち、この支持台により覆われた部分を加熱する加熱部が設けられていることを特徴とする請求項１から６のいずれか１項に記載の美容器。
【請求項８】
前記第１押圧部および前記第２押圧部のうち、少なくともいずれか一方が使用者の顔や身体を押圧した際に、前記一方から使用者の顔や身体に向けて通電し、導電性を測定する導電性測定部を備えていることを特徴とする請求項１から７のいずれか１項に記載の美容器。
【請求項９】
前記第１押圧部および前記第２押圧部のうち、少なくともいずれか一方が使用者の顔や身体を押圧した回数を計数する計数部を備えていることを特徴とする請求項１から８のいずれか１項に記載の美容器。
【発明の詳細な説明】
【技術分野】
【０００１】
本発明は、美容器に関するものであって、特に使用者の顔や身体を押圧する美容器に関するものである。
【背景技術】
【０００２】
従来、使用者の顔面の一部を押圧し、疲労回復効果、および痩身効果を得ることで、美容に供する美容器が知られている。
例えば、下記特許文献１には、棒状の美容器であって、顔面のマッサージを行うために弾性材料で構成された第１の押圧部と、耳のツボを刺激するために硬質材料で構成された第２の押圧部と、を備えた構成が知られている。
【先行技術文献】
【特許文献】
【０００３】
【特許文献１】特開２００６−１４１４６８号公報
【発明の概要】
【発明が解決しようとする課題】
【０００４】
しかしながら、特許文献１に記載の発明では、使用者が、美容器本体を自らの手を把持した状態で、押圧部を顔の一部に押し付けるので、押圧力が一定になりにくい。このため、例えば使用者が不慣れな場合等において、押圧部を顔に強く押し付けることで、過度な刺激を与えてしまうおそれがあった。
【０００５】
そこで本発明は、使用者が使用に不慣れな場合であっても、押圧部を使用者の顔や身体に押し付ける力が過度になるのを抑えることができる美容器を提供することを目的とする。
【課題を解決するための手段】
【０００６】
上記課題を解決するために、本発明に係る美容器は、筒状の美容器本体と、美容器本体の一端部に設けられ、使用者の顔や身体を押圧するものであって、１つの第１ピンから成る第１押圧部と、美容器本体における一端部の内部に収容され、第１押圧部を美容器本体の外側に向けて付勢する第１付勢部材と、美容器本体の他端部に設けられ、使用者の顔や身体を押圧するものであって、３つの第２ピンから成る第２押圧部と、美容器本体における他端部の内部に収容され、第２押圧部を美容器本体の外側に向けて付勢する第２付勢部材と、を備える。
【０００７】
また、第１ピンの先端部における直径の大きさは、第２ピンの先端部における直径の大きさよりも大きくてもよい。
【０００８】
また、第１ピンは、第２ピンよりも長くてもよい。
【０００９】
また、第１付勢部材の付勢力は、第２付勢部材の付勢力よりも強くてもよい。
【００１０】
また、第１押圧部および第２押圧部のうち、少なくともいずれか一方に着脱自在に装着されるキャップを備えてもよい。
【００１１】
また、第１ピンは、美容器本体の中心軸線と同軸に配置され、３つの第２ピンは、中心軸線回りに周回する周方向に等間隔をあけて配置されてもよい。
【００１２】
また、第１押圧部および第２押圧部のうち、少なくともいずれか一方を覆うとともに、美容器本体が上下方向に延びるように、美容器本体を支持する支持台を備え、支持台の内側には、第１押圧部および第２押圧部のうち、この支持台により覆われた部分を加熱する加熱部が設けられてもよい。
【００１３】
また、第１押圧部および第２押圧部のうち、少なくともいずれか一方が使用者の顔や身体を押圧した際に、一方から使用者の顔や身体に向けて通電し、導電性を測定する導電性測定部を備えてもよい。
【００１４】
また、第１押圧部および第２押圧部のうち、少なくともいずれか一方が使用者の顔や身体を押圧した回数を計数する計数部を備えてもよい。
【発明の効果】
【００１５】
本発明の美容器では、筒状の美容器本体の一端部に１つの第１ピンから成る第１押圧部が設けられ、美容器本体の他端部に、３つの第２ピンから成る第２押圧部が設けられている。そして、第１押圧部および第２押圧部はそれぞれ、第１付勢部材および第２付勢部材により、美容器本体の外側に向けて付勢されている。
【００１６】
このため、第１押圧部および第２押圧部の変位量を使用者が確認することで、それぞれの押圧部を顔や身体の一部に押し付ける力を、第１付勢部材および第２付勢部材それぞれの付勢力の範囲内に美容器が留めることができる。
これにより、使用者が使用に不慣れな場合であっても、押圧部を使用者の顔や身体に押し付ける力が過度になるのを抑えることができる。
【図面の簡単な説明】
【００１７】
【図１】本発明の第１実施形態に係る美容器の外観図である。
【図２】図１に示す美容器本体における（ａ）外観図、（ｂ）縦断面図である。
【図３】本発明の第２実施形態に係る美容器のうち、美容器本体の縦断面図である。
【図４】図３に示す美容器の使用状態を示す模式図である。
【発明を実施するための形態】
【００１８】
（第１実施形態）
本発明の一実施形態に係る美容器１について、図１および図２を参照して説明する。図１は、本発明の第１実施形態に係る美容器１の外観図である。図２は、美容器本体１０における（ａ）外観図、（ｂ）縦断面図である。
【００１９】
図１に示すように、本発明の美容器１は、筒状の美容器本体１０と、美容器本体１０を支持する支持台２と、を備えている。なお、美容器１は、支持台２を備えていなくてもよい。
以下の説明において、美容器本体１０の中心軸線Ｏに沿う方向を軸方向といい、中心軸線Ｏと直交する方向を径方向という。また、軸方向から見た平面視で、中心軸線Ｏ回りに周回する方向を周方向という。
【００２０】
図２（ａ）および図２（ｂ）に示すように、美容器本体１０は、使用者の顔や身体を押圧する第１押圧部２１および第２押圧部２２を備えている。
美容器１は、使用者Ｐ（図４参照）が美容器本体１０を操作して、使用者Ｐの顔や身体の任意の箇所を押圧して刺激を与える器具である。
【００２１】
美容器本体１０は、軸方向の一方側から他方側に向けて、段階的に拡径する多段筒状に形成されている。
美容器本体１０は、軸方向の一方側に位置する小径筒部１１と、小径筒部１１と軸方向に連結された中間筒部１２と、軸方向の他方側に位置する大径筒部１３と、を備えている。
小径筒部１１、中間筒部１２、および大径筒部１３は、互いに同軸に配置され、一体に形成されている。
【００２２】
中間筒部１２の軸方向の長さは、小径筒部１１よりも長くなっている。大径筒部１３の軸方向の長さは、中間筒部１２よりも長くなっている。
小径筒部１１と中間筒部１２との接続部分、および中間筒部１２と大径筒部１３との接続部分は、軸方向の一方側から他方側に向かうに従って漸次拡径する傾斜面となっている。なお、美容器本体１０の形状は任意に変更可能であり、例えばＬ字状、二股状や曲線状を呈してもよい。
【００２３】
大径筒部１３の内周面のうち、中間筒部１２と軸方向に連なる部分には、径方向の内側に向けて張り出した張り出し部１４が形成されている。
大径筒部１３における軸方向の他方側の端部には、端壁１５が形成されている。端壁１５には、後述する第２ピン３２が挿通される挿通孔１６が、３つ形成されている。
【００２４】
第１押圧部２１は、美容器本体１０の一端部に設けられ、１つの第１ピン３１から構成されている。第１ピン３１は金属材料により形成されている。
第１押圧部２１は、美容器本体１０の内部に収容可能となるように配置され、先端が美容器本体１０の一端部から外部に向けて突出している。第１ピン３１は、美容器本体１０の中心軸線Ｏと同軸に配置されている。
【００２５】
第１ピン３１における軸方向の一方側の端部に位置する先端部は、軸方向の一方側に向けて突となる曲面状に形成され、美容器本体１０の外部に配置されている。
第１ピン３１における軸方向の中間部が、美容器本体１０における小径筒部１１の内側に配置されている。第１ピン３１における軸方向の他方側の端部に位置する基端部は、美容器本体１０における中間筒部１２の内側に配置されている。
【００２６】
第１ピン３１は、軸方向の位置により、径が異なっている。第１ピン３１の基端部は、軸方向の他方側の端部に向かうに従って漸次拡径している。
第１ピン３１の基端部の直径は、小径筒部１１の内径よりも大きくなっている。このため、第１ピン３１は、全体が小径筒部１１から外部に脱落しないようになっている。
【００２７】
第２押圧部２２は、美容器本体１０の他端部に設けられ、３つの第２ピン３２から構成されている。第２ピン３２は金属材料により形成されている。
第２押圧部２２は、美容器本体１０の内部に収容可能となるように配置され、先端が美容器本体１０の他端部から外部に向けて突出している。３つの第２ピン３２は、中心軸線Ｏ回りに周回する周方向に等間隔をあけて配置されている。なお、図２および図３では、図示された２つの第２ピン３２の背後に配置された１つの第２ピン３２の図示を省略している。
【００２８】
第２押圧部２２は、３つの第２ピン３２と、３つの第２ピン３２を一体に保持する保持部３３と、を備えている。
保持部３３には、３つの装着穴３３Ａが形成されている。３つの装着穴３３Ａそれぞれに、第２ピン３２が挿入され、接着剤等により固着されている。第２ピン３２は、大径筒部１３に形成された挿通孔１６に挿通された状態で、保持部３３の装着穴３３Ａに装着されている。第２ピン３２が装着穴３３Ａに固着されているので、第２ピン３２の全体が、挿通孔１６から外部に脱落しないようになっている。
【００２９】
第２ピン３２の直径は、軸方向の全域にわたって均一となっている。なお、第２ピン３２は、軸方向の位置により、径が異なっていてもよい。
第２ピン３２における軸方向の他方側の端部に位置する先端部は、軸方向の他方側に向けて突となる曲面状に形成され、美容器本体１０の外部に配置されている。
【００３０】
第２ピン３２における軸方向の中間部が、美容器本体１０における大径筒部１３の挿通孔１６に挿通されている。第２ピン３２における軸方向の一方側の端部に位置する基端部は、保持部３３の装着穴３３Ａに装着された状態で、美容器本体１０における大径筒部１３の内側に配置されている。
【００３１】
保持部３３は、軸方向に延びる２段の円柱部材である。保持部３３は、軸方向の一方側に配置された第１円柱部３３Ｂと、第１円柱部３３Ｂの軸方向の他方側に配置され、第１円柱部３３Ｂよりも拡径された第２円柱部３３Ｃと、を備えている。
第１円柱部３３Ｂおよび第２円柱部３３Ｃは、互いに同軸に配置され、一体に形成されている。第２円柱部３３Ｃの軸方向の他方側の端部に、装着穴３３Ａが３つ形成されている。
【００３２】
本実施形態では、第１ピン３１の先端部における直径の大きさは、第２ピン３２の先端部における直径の大きさよりも大きくなっている。また、第１ピン３１は、第２ピン３２よりも長くなっている。
【００３３】
美容器１はまた、第１押圧部２１を美容器本体１０の外側に向けて付勢する第１付勢部材４１と、第２押圧部２２を美容器本体１０の外側に向けて付勢する第２付勢部材４２と、を備えている。第１付勢部材４１および第２付勢部材４２は、コイルスプリングである。
第１付勢部材４１は、美容器本体１０における一端部の内部に収容され、第２付勢部材４２は、美容器本体１０における他端部の内部に収容されている。
【００３４】
第１付勢部材４１は、中間筒部１２の内側に配置されている。第１付勢部材４１は、大径筒部１３の内側に形成された張り出し部１４に当接した状態で、第１ピン３１における軸方向の他方側の端部に当接している。
これにより、第１付勢部材４１は、第１ピン３１を軸方向の一方側に向けて付勢している。すなわち、第１ピン３１は、軸方向の他方側に向けた外力を受けることにより、第１付勢部材４１の付勢力に抗して、美容器本体１０の内側に収容可能となっている。
【００３５】
第２付勢部材４２は、大径筒部１３の内側に配置されている。第２付勢部材４２は、大径筒部１３の内側に形成された張り出し部１４に当接した状態で、第２押圧部２２の保持部３３の第２円柱部３３Ｃにおける軸方向の他方側の一方側の端部に当接している。
これにより、第２付勢部材４２は、３つの第２ピン３２を、軸方向の他方側に向けて付勢している。すなわち、３つの第２ピン３２は、軸方向の一方側に向けた外力を受けることにより、第２付勢部材４２の付勢力に抗して、美容器本体１０の内側に収容可能となっている。
本実施形態では、第１付勢部材４１の付勢力は、第２付勢部材４２の付勢力よりも強くなっている。
【００３６】
美容器１はまた、第１押圧部２１および第２押圧部２２のうち、少なくともいずれか一方に着脱自在に装着されるキャップ５０を備えている。図示の例では、美容器１は第２押圧部２２に装着されるキャップ５０を備えている。
なお、美容器１は、第１押圧部２１に装着されるキャップ５０を備えていてもよいし、第１押圧部２１および第２押圧部２２それぞれに異なるキャップ５０が装着されてもよい。また、ひとつのキャップ５０を第１押圧部２１および第２押圧部２２に兼用としてもよい。この場合には、美容器本体１０における第１押圧部２１および第２押圧部２２それぞれが設けられる部分の外径を同等にさせることが好ましい。
【００３７】
図１に示すように、支持台２は、円柱形状を呈している。支持体の上面には、下方に向けて窪む挿入凹部が形成されている。挿入凹部内に美容器本体１０における軸方向の端部が挿入されることで、支持台２は美容器本体１０を支持する。
この際、美容器本体１０が上下方向に延びるとともに、支持台２が、第１押圧部２１および第２押圧部２２のうち、少なくともいずれか一方が挿入凹部内に挿入されることで、支持台２により覆われた状態となる。なお、第１押圧部２１および第２押圧部２２の両方を挿入凹部内に挿入する場合には、美容器本体１０における第１押圧部２１および第２押圧部２２それぞれが設けられる部分の外径を同等にさせることが好ましい。
【００３８】
支持台２の内側には、第１押圧部２１および第２押圧部２２のうち、この支持台２により覆われた部分を加熱する加熱部が設けられてもよい。
加熱部は、例えば支持台２に内蔵されたバッテリーから供給された電力により加熱するヒータであってもよいし、例えば予め湯煎等により加熱された保温部材を支持台２の内部に充填するような構成であってもよい。
支持台２は円柱形状に限られず、角柱形状やその他の形状であってもよい。
【００３９】
以上説明したように、本実施形態に係る美容器１によれば、筒状の美容器本体１０の一端部に１つの第１ピン３１から成る第１押圧部２１が設けられ、美容器本体１０の他端部に、３つの第２ピン３２から成る第２押圧部２２が設けられている。そして、第１押圧部２１および第２押圧部２２はそれぞれ、第１付勢部材４１および第２付勢部材４２により、美容器本体１０の外側に向けて付勢されている。
【００４０】
このため、第１押圧部２１又は第２押圧部２２を、使用者Ｐの顔や身体の一部に押し付けることで、押圧部が顔や身体の一部を押圧し、刺激を与えることができる。この際、第１押圧部２１および第２押圧部２２がそれぞれ、ピン部材により構成されているので、顔面のツボ、又は筋肉が硬化・癒着している箇所のような局所的な部分を選択して、専ら使用者Ｐが力を加えた部分にのみ刺激を与えることができる。
【００４１】
また、第１押圧部２１および第２押圧部２２がそれぞれ、第１付勢部材４１および第２付勢部材４２により、美容器本体１０の外側に向けて付勢されているので、第１押圧部２１および第２押圧部２２の変位量を使用者Ｐが確認することで、それぞれの押圧部２１、２２を顔や身体の一部に押し付ける力を、第１付勢部材４１および第２付勢部材４２それぞれの付勢力の範囲内に美容器が留めることができる。
これにより、使用者Ｐが使用に不慣れな場合であっても、押圧部２１、２２を使用者Ｐの顔や身体に押し付ける力が過度になるのを抑えることができる。
【００４２】
また、第１押圧部２１および第２押圧部２２がそれぞれ、第１付勢部材４１および第２付勢部材４２により、美容器本体１０の外側に向けて付勢されている。このため、適度な圧を使用者Ｐの顔や身体に的確に与えることで、靭帯等の緊張状態を緩和させることができ、リラックス効果を奏することができる。さらに、このような靭帯の緩和により筋肉の癒着がほぐされ、顔のたるみを防ぐことも期待できる。
【００４３】
また、３つの第２ピン３２から成る第２押圧部２２を用いて顔や身体の一部を押圧する場合には、１つの第１ピン３１から成る第１押圧部２１を用いる場合よりも、広い範囲に刺激を与えることができる。この際、第２ピン３２が３つあるため、３つの第２ピン３２それぞれの先端部同士が通る仮想平面が形成されることで、顔や身体の一部を押圧した際に、３つの第２ピン３２の先端部が均等に接触して、押圧力を適度に分散することができる。
【００４４】
また、第１ピン３１が、美容器本体１０の中心軸線Ｏと同軸に配置されているので、使用者Ｐが美容器本体１０を操作して第１ピン３１を顔や身体の一部に押し付ける力を、正確に伝えることができる。
また、３つの第２ピン３２が、周方向に等間隔をあけて配置されているので、２つの第２ピン３２に加えられる力を分散することができる。
【００４５】
また、第１ピン３１の先端部における直径の大きさが、第２ピン３２の先端部における直径の大きさよりも大きいので、本数の少ない第１ピン３１の直径を確保することができる。これにより、例えば第１ピン３１の直径が細く形成されているような場合と比較して、第１ピン３１を顔や身体に押圧した際に、使用者Ｐが痛みを感じるのを抑えることができる。
【００４６】
また、第１付勢部材４１の付勢力が、第２付勢部材４２の付勢力よりも強いので、強い刺激を与えるときに第１押圧部２１を用い、弱い刺激を与えるときに第２押圧部２２を用いることで、目的に合わせて第１押圧部２１と第２押圧部２２とを使い分けることができる。
【００４７】
また、美容器１が、キャップ５０を備えているので、第１押圧部２１又は第２押圧部２２を使用しないときにキャップ５０を装着することで、美容器本体１０の見栄えを向上することができるとともに、不使用時における第１押圧部２１又は第２押圧部２２の保護を行うことができる。
【００４８】
また、美容器１が、美容器本体１０を支持する支持台２を備えているので、美容器１を支持台２により支持させることで、美容器１全体の見栄えを向上することができる。
また、支持台２の内側に、加熱部が設けられている場合には、必要に応じて第１押圧部２１又は第２押圧部２２を加熱して使用することで、使用者Ｐの顔や身体の一部に物理的な刺激を与えるだけでなく、温めることで血行をよくすることができる。
【００４９】
（第２実施形態）
本発明の第２実施形態に係る美容器１について、図３および図４を参照して説明する。図３は、本発明の第２実施形態に係る美容器１のうち、美容器本体１０Ｂの縦断面図である。図４は、第２実施形態に係る美容器１の使用状態を示す模式図である。
なお、以下の説明において、第１実施形態と同一の構成については同一の符号を付し、その説明を省略する。第１実施形態と同一の作用、および効果についても説明を省略する。
【００５０】
第２実施形態に係る美容器本体１０Ｂでは、第１実施形態に係るに容器本体に対して、使用者Ｐの利便性を向上するための２つの機能が追加されている。この２つの機能について説明する。
図３に示すように、美容器本体１０Ｂは、導電性測定部５１と計数部５２とを備えている。
【００５１】
導電性測定部５１は、第１押圧部２１および第２押圧部２２のうち、少なくともいずれか一方が使用者Ｐの顔や身体を押圧した際に、一方から使用者Ｐの顔や身体に向けて通電し、導電性を測定する。導電性測定部５１は、美容器本体１０Ｂの内側に配置されている。
【００５２】
導電性測定部５１は、第１ピン３１および第２ピン３２のうちの少なくとも１つと導線（図示せず）により導通されている。導電性測定部５１は、第１ピン３１又は第２ピン３２が使用者Ｐの顔や身体に押圧された際に、内部電源から微弱な電圧を印可することで、使用者Ｐの顔や身体に通電を行う。このときの抵抗値を計測することで電流値を計算し、導電性（１／Ωｍ）を評価することができる。
【００５３】
また、導電性測定部５１は、導電性を測定した結果を、例えば美容器本体１０Ｂに設けた表示部に表示してもよい。美容器本体１０Ｂの表示部の態様としては、導電性の数値を表示してもよいし、一定の範囲毎に設定された表示態様に即して、表示灯の色が変化するような態様であってもよい。
また、例えば図４に示すように、外部のモニタ装置ＭやスマートフォンＳ等に無線通信により伝送してもよい。この場合には、美容器本体１０Ｂが更に無線通信部５３を備え、導電性測定部５１が測定した導電性のデータ、および後述する計数部５２が計数する押圧回数を外部の通信機器に送信する。無線通信部５３は、導電性測定部５１の内部電源から電力を供給される。
【００５４】
ここで、一般的に顔や身体のツボ、又は筋肉が硬化・癒着している箇所は、他の部分と比較して導電性が異なることが知られている。このため、使用者Ｐは、導電性測定部５１により測定した顔や身体の部分の導電性を確認することで、適切な箇所に刺激を与えられているかどうかを確認することができる。
【００５５】
計数部５２は、第１押圧部２１および第２押圧部２２のうち、少なくともいずれか一方が使用者Ｐの顔や身体を押圧した回数を計数する。この際、第１押圧部２１および第２押圧部２２それぞれの回数を区別してもよい。計数部５２は、例えば力センサにより構成され、第１ピン３１又は保持部３３が変位してきた回数を、力の向きを判別しながら計数するような態様であってもよい。
計数部５２は、計数した結果を例えば外部のモニタ等に無線通信により伝送してもよい。使用した回数を使用者Ｐが確認することで、使用者Ｐに動機づけを与えることができる。
【００５６】
なお、前述の実施形態は、本発明の代表的な実施形態を単に例示したものにすぎない。したがって、本発明の趣旨を逸脱しない範囲において、前述の実施形態に対して種々の変形を行ってもよい。
【００５７】
例えば、上記各実施形態においては、第１ピン３１の直径が、第２ピン３２の直径よりも大きい構成を示したが、このような態様に限られない。第２ピン３２の直径が第１ピン３１の直径より大きくてもよい。
【００５８】
また、上記各実施形態においては、第１ピン３１が第２ピン３２よりも長い構成を示したが、このような態様に限られない。第２ピン３２が第１ピン３１よりも長くてもよい。
また、上記各実施形態においては、第１付勢部材４１の付勢力が、第２付勢部材４２の付勢力よりも強い構成を示したが、このような態様に限られない。第２付勢部材４２の付勢力が、第１付勢部材４１の付勢力よりも強くてもよい。
【００５９】
また、上記各実施形態においては、第１ピン３１が、美容器本体１０、１０Ｂの中心軸線Ｏと同軸に配置され、３つの第２ピン３２が、周方向に等間隔をあけて配置されている構成を示したが、このような態様に限られない。第１ピン３１および第２ピン３２の配置は任意に変更することができる。
【００６０】
また、上記各実施形態においては、美容器１がキャップ５０を備えている構成を示したが、このような態様に限られない。美容器１はキャップ５０を備えていなくてもよい。
【００６１】
また、前述した変形例に限られず、これらの変形例を選択して適宜組み合わせてもよいし、その他の変形を施してもよい。
【符号の説明】
【００６２】
１  美容器
２  支持台
１０  美容器本体
２１  第１押圧部
２２  第２押圧部
３１  第１ピン
３２  第２ピン
４１  第１付勢部材
４２  第２付勢部材
５０  キャップ
【図１】
2020069108.tif 000003
【図２】
2020069108.tif 000004
【図３】
2020069108.tif 000005
【図４】
2020069108.tif 000006
【手続補正書】
【提出日】令和1年6月25日(2019.6.25)
【手続補正１】
【補正対象書類名】特許請求の範囲
【補正対象項目名】請求項１
【補正方法】変更
【補正の内容】
【請求項１】
筒状の美容器本体と、
前記美容器本体の一端部に設けられ、使用者の顔や身体を押圧するものであって、１つの第１ピンから成る第１押圧部と、
前記美容器本体における前記一端部の内部に収容され、前記第１押圧部を前記美容器本体の外側に向けて付勢する第１付勢部材と、
前記美容器本体の他端部に設けられ、使用者の顔や身体を押圧するものであって、３つの第２ピン、および３つの前記第２ピンを一体に保持する保持部から成る第２押圧部と、
前記美容器本体における前記他端部の内部に収容され、前記保持部の端部に当接することで、前記第２押圧部を前記美容器本体の外側に向けて付勢する第２付勢部材と、を備える美容器。
【手続補正２】
【補正対象書類名】明細書
【補正対象項目名】００３５
【補正方法】変更
【補正の内容】
【００３５】
第２付勢部材４２は、大径筒部１３の内側に配置されている。第２付勢部材４２は、大径筒部１３の内側に形成された張り出し部１４に当接した状態で、第２押圧部２２の保持部３３の第２円柱部３３Ｃにおける軸方向の他方側の端部に当接している。
これにより、第２付勢部材４２は、３つの第２ピン３２を、軸方向の他方側に向けて付勢している。すなわち、３つの第２ピン３２は、軸方向の一方側に向けた外力を受けることにより、第２付勢部材４２の付勢力に抗して、美容器本体１０の内側に収容可能となっている。
本実施形態では、第１付勢部材４１の付勢力は、第２付勢部材４２の付勢力よりも強くなっている。
【手続補正書】
【提出日】令和1年10月17日(2019.10.17)
【手続補正１】
【補正対象書類名】特許請求の範囲
【補正対象項目名】請求項１
【補正方法】変更
【補正の内容】
【請求項１】
軸方向の一方側から他方側に向けて、段階的に拡径する多段筒状に形成された筒状の美容器本体と、
前記美容器本体の一端部に設けられ、使用者の顔や身体を押圧するものであって、１つの第１ピンから成る第１押圧部と、
前記美容器本体における前記一端部の内部に収容され、前記第１押圧部を前記美容器本体の外側に向けて付勢する第１付勢部材と、
前記美容器本体の他端部に設けられ、使用者の顔や身体を押圧するものであって、３つの第２ピン、および３つの前記第２ピンを一体に保持する保持部から成る第２押圧部と、
前記美容器本体における前記他端部の内部に収容され、前記保持部の端部に当接することで、前記第２押圧部を前記美容器本体の外側に向けて付勢する第２付勢部材と、を備え、
前記美容器本体は、軸方向の一方側に位置する小径筒部と、前記小径筒部と軸方向に連結された中間筒部と、軸方向の他方側に位置する大径筒部と、を備え、
前記大径筒部の内周面のうち、前記中間筒部と軸方向に連なる部分には、径方向の内側に向けて張り出した張り出し部が形成され、
前記第１付勢部材は、前記中間筒部の内側に配置され、前記張り出し部に当接した状態で、前記第１ピンに当接し、
前記第２付勢部材は、前記大径筒部の内側に配置され、前記張り出し部に当接した状態で、前記保持部の端部に当接している美容器。
【手続補正２】
【補正対象書類名】明細書
【補正対象項目名】００３５
【補正方法】変更
【補正の内容】
【００３５】
第２付勢部材４２は、大径筒部１３の内側に配置されている。第２付勢部材４２は、大径筒部１３の内側に形成された張り出し部１４に当接した状態で、第２押圧部２２の保持部３３の第２円柱部３３Ｃにおける軸方向の一方側の端部に当接している。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
軸方向の一方側から他方側に向けて、段階的に拡径する多段筒状に形成された筒状の美容器本体と、
前記美容器本体の一端部に設けられ、使用者の顔や身体を押圧するものであって、１つの第１ピンから成る第１押圧部と、
前記美容器本体における前記一端部の内部に収容され、前記第１押圧部を前記美容器本体の外側に向けて付勢する第１付勢部材と、
前記美容器本体の他端部に設けられ、使用者の顔や身体を押圧するものであって、３つの第２ピン、および３つの前記第２ピンを一体に保持する保持部から成る第２押圧部と、
前記美容器本体における前記他端部の内部に収容され、前記保持部の端部に当接することで、前記第２押圧部を前記美容器本体の外側に向けて付勢する第２付勢部材と、を備え、
前記美容器本体は、軸方向の一方側に位置する小径筒部と、前記小径筒部と軸方向に連結された中間筒部と、軸方向の他方側に位置する大径筒部と、を備え、
前記大径筒部の内周面のうち、前記中間筒部と軸方向に連なる部分には、径方向の内側に向けて張り出した張り出し部が形成され、
前記第１付勢部材は、前記中間筒部の内側に配置され、前記張り出し部に当接した状態で、前記第１ピンに当接し、
前記第２付勢部材は、前記大径筒部の内側に配置され、前記張り出し部に当接した状態で、前記保持部の端部に当接している美容器。
【請求項２】
前記第１ピンの先端部における直径の大きさは、前記第２ピンの先端部における直径の大きさよりも大きいことを特徴とする請求項１に記載の美容器。
【請求項３】
前記第１ピンは、前記第２ピンよりも長いことを特徴とする請求項1又は２に記載の美容器。
【請求項４】
前記第１付勢部材の付勢力は、前記第２付勢部材の付勢力よりも強いことを特徴とする請求項１から３のいずれか１項に記載の美容器。
【請求項５】
前記第１押圧部および前記第２押圧部のうち、少なくともいずれか一方に着脱自在に装着されるキャップを備えていることを特徴とする請求項１から４のいずれか１項に記載の美容器。
【請求項６】
前記第１ピンは、前記美容器本体の中心軸線と同軸に配置され、
前記３つの第２ピンは、前記中心軸線回りに周回する周方向に等間隔をあけて配置されている請求項１から５のいずれか１項に記載の美容器。
【請求項７】
前記第１押圧部および前記第２押圧部のうち、少なくともいずれか一方を覆うとともに、前記美容器本体が上下方向に延びるように、前記美容器本体を支持する支持台を備え、
前記支持台の内側には、前記前記第１押圧部および前記第２押圧部のうち、この支持台により覆われた部分を加熱する加熱部が設けられていることを特徴とする請求項１から６のいずれか１項に記載の美容器。